(57)【特許請求の範囲】
【請求項１】
天井と非接続状態で設けられる天井落下防止構造であって、
設置スペースの側方の躯体に固定され、第１側方の両側の躯体に固定される一対の第１支持部材と、第２側方の両側の躯体に固定される一対の第２支持部材とを含む支持部材と、
両端の端末が前記一対の第１支持部材に取り付けられ、前記設置スペースを区画可能に架設される主ケーブルと、
両端の端末が前記一対の第２支持部材に取り付けられ、前記主ケーブルと交差する方向であって前記主ケーブルの端部の上方に架設される外周ケーブルと、
前記主ケーブル及び前記外周ケーブルに締結されるネットと、
前記ネットを前記主ケーブル及び前記外周ケーブルに締結する締結部材と、を備え、
前記一対の第１支持部材及び前記一対の第２支持部材が、それぞれ、フランジ部と、前記フランジ部から突出し、前記主ケーブルの前記端末又は前記外周ケーブルの前記端末が取り付けられる突出部と、を備え、
前記主ケーブルの前記両端の端末及び前記外周ケーブルの前記両端の端末がフォーク状に形成され、前記突出部を挟んでピン留めされる
ことを特徴とする天井落下防止構造。
【請求項２】
前記主ケーブルの前記両端の端末及び前記外周ケーブルの前記両端の端末が前記一対の第１支持部材及び前記一対の第２支持部材に対してそれぞれ回動可能であることを特徴とする請求項１に記載の天井落下防止構造。
【請求項３】
前記主ケーブルが、前記ネットの第１側が締結される第１主ケーブルと、前記ネットの第２側が締結される第２主ケーブルと、前記第１主ケーブルと前記第２主ケーブルとの間で前記ネットが締結される第３主ケーブルとを含み、
前記ネットが前記第３主ケーブルの中央を基準として配置されることを特徴とする請求項１又は２に記載の天井落下防止構造。
【請求項４】
前記第３主ケーブルが、前記第１主ケーブル及び前記第２主ケーブルのいずれかの側に偏って架設されていることを特徴とする請求項３に記載の天井落下防止構造。
【請求項５】
前記ネットが前記締結部材によって前記主ケーブルに添う前記ネットの２本の糸を前記主ケーブルにレーシングすることにより締結されており、前記締結部材が前記ネットと前記主ケーブルが取り合うすべての目合いを通ることを特徴とする請求項１から４のいずれか１項に記載の天井落下防止構造。
【請求項６】
前記ネットが前記締結部材によって前記外周ケーブルに添う前記ネットの２本の糸を前記外周ケーブルにレーシングすることにより締結されており、前記締結部材が前記ネットと前記外周ケーブルが取り合うすべての目合いを通ることを特徴とする請求項１から５のいずれか１項に記載の天井落下防止構造。
【請求項７】
前記ネットが繋ぎ目を有するとき、前記繋ぎ目の先端が上方に向くように、かつ、前記繋ぎ目のラインが前記主ケーブルと交差するように配置されることを特徴とする請求項１から６のいずれか１項に記載の天井落下防止構造。
【発明の詳細な説明】
【技術分野】
【０００１】
本発明は、天井落下防止構造、特に、フェイルセーフ用のネットを用いた天井落下防止構造に関する。
【背景技術】
【０００２】
先年の東北大震災によって引き起こされた様々な災害は、記憶に新しいところである。様々な災害のうち、建物屋内で生じた災害としては、天井が落下して人的被害が発生するという痛ましい事故が挙げられる。
【０００３】
このような事態を受け、国を始めとして各界において、天井落下防止に係る安全対策が、鋭意、研究、開発されている。例えば、特許文献１には、安定した強度を確保するための天井落下防止用ネット及び天井落下防止構造を提供することを目的として、天井落下防止用の落下防止ネットであって、芯部材を中心にして落下防止ネットの横糸を数回、巻回した後、外部に芯補強部材を配置してミシン縫いされて構成された端部を備え、落下防止ネットの網目の一部には、孔を包囲する横糸及び縦糸に、糸状の網目補強部材を巻回させた補強部が形成された落下防止ネットが開示されている。
【０００４】
しかしながら、特許文献１の天井落下防止用ネットは、天井の金物下地にレーシングバーを付属させ、そのレーシングバーにネットを固定している。このような場合、天井が落下した場合、ネットも一緒に落下してしまうおそれがあるという問題がある。また、既存の天井にネットの荷重を負担させることから、既存の天井の改修や補強といった手立てを施さなければならないという問題がある。
【先行技術文献】
【特許文献】
【０００５】
【特許文献１】特開２０１５−６３８１１号公報
【発明の概要】
【発明が解決しようとする課題】
【０００６】
本発明は、上述の課題に鑑みてなされたものであり、天井の撤去や耐震対策が施しづらい既存の天井下であっても、地震時に天井が落下した際に避難までの一時的な安全を確保するための天井落下防止構造を提供することを目的とする。
【課題を解決するための手段】
【０００７】
本発明は、上記目的を達成するために、以下の構成によって把握される。
（１）本発明の第１の観点は、天井落下防止構造であって、設置スペースの側方の躯体に固定され、第１側方の躯体に固定される第１支持部材と、第２側方の躯体に固定される第２支持部材とを含む支持部材と、端末が前記第１支持部材に取り付けられ、前記設置スペースを区画可能に架設される主ケーブルと、端末が前記第２支持部材に取り付けられ、前記主ケーブルと交差する方向であって前記主ケーブルの端部の上方に架設される外周ケーブルと、前記主ケーブル及び前記外周ケーブルに締結されるネットと、前記ネットを前記主ケーブル及び前記外周ケーブルに締結する締結部材と、を備えることを特徴とする。
【０００８】
（２）上記（１）の構成において、前記主ケーブルの前記端末及び前記外周ケーブルの前記端末は、前記第１支持部材及び前記第２支持部材に対してそれぞれ回動可能であってもよい。
【０００９】
（３）上記（１）又は（２）の構成において、前記支持部材は、フランジ部と、前記フランジ部から突出し、前記主ケーブルの前記端末又は前記外周ケーブルの前記端末が取り付けられる突出部と、を備え、前記主ケーブルの前記端末及び前記外周ケーブルの前記端末は、フォーク状に形成され、前記突出部を挟んでピン留めされてもよい。
【００１０】
（４）上記（１）から（３）のいずれか１つの構成において、前記主ケーブルが、前記ネットの第１側が締結される第１主ケーブルと、前記ネットの第２側が締結される第２主ケーブルと、前記第１主ケーブルと前記第２主ケーブルとの間で前記ネットが締結される第３主ケーブルとを含み、前記ネットは、前記第３主ケーブルの中央を基準として配置されてもよい。
【００１１】
（５）上記（４）の構成において、前記第３主ケーブルは、前記第１主ケーブル及び前記第２主ケーブルのいずれかの側に偏って架設されていてもよい。
【００１２】
（６）上記（１）から（５）のいずれか１つの構成において、前記ネットが前記締結部材によって前記主ケーブルに添う前記ネットの２本の糸を前記主ケーブルにレーシングすることにより締結されており、前記締結部材は、前記ネットと前記主ケーブルが取り合うすべての目合いを通るようにしてもよい。
【００１３】
（７）上記（１）から（６）のいずれか１つの構成において、前記ネットが前記締結部材によって前記外周ケーブルに添う前記ネットの２本の糸を前記外周ケーブルにレーシングすることにより締結されており、前記締結部材は、前記ネットと前記外周ケーブルが取り合うすべての目合いを通るようにしてもよい。
【００１４】
（８）上記（１）から（７）のいずれか１つの構成において、前記ネットが繋ぎ目を有するとき、前記繋ぎ目の先端が上方に向くように、かつ、前記繋ぎ目のラインが前記主ケーブルと交差するように配置されるようにしてもよい。
【発明の効果】
【００１５】
本発明によれば、天井の撤去や耐震対策が施しづらい既存の天井下であっても、地震時に天井が落下した際に避難までの一時的な安全を確保するための天井落下防止構造を提供することができる。
【図面の簡単な説明】
【００１６】
【図１】本発明の実施形態に係る天井落下防止構造を示す側面図である。
【図２】本発明の実施形態に係る天井落下防止構造を示す平面図である。
【図３】支持部材を躯体へ固定する例を示す図である。
【図４】支持部材へケーブルの端末を固定する例を示す図である。
【図５】ケーブルの端末の例としてフォークタイプを示す図である。
【図６】ケーブルの端末の他の例としてクリップタイプを示す図である。
【図７】ネットと主ケーブルとの配置の関係を示す斜視図である。
【図８】ネットを主ケーブルに締結部材によって固定した状態を示す平面図である。
【図９】ネットを主ケーブルに締結部材によって固定した状態を示す側面図である。
【図１０】ネットを外周ケーブルに締結部材によって固定した状態を示す平面図である。
【図１１】外周ケーブルと主ケーブルとの配置の関係を示す平面図である。
【図１２】ネットを外周ケーブルに締結部材によって固定した状態を示す側面図である。
【図１３】天井落下防止構造の設置方法を示すフローチャートである。
【発明を実施するための形態】
【００１７】
以下、本発明を実施するための形態（以下、「実施形態」という）を、添付図面に基づいて詳細に説明する。なお、実施形態の説明の全体を通して同じ要素には同じ番号を付している。
【００１８】
（実施形態の構成）
天井落下防止構造１は、図１に示すように、支持部材１０と、ケーブル２０と、ネット３０と、締結部材４０（図８参照）とを備えている。そして、例えば、天井スラブＸに設けられ、吊りボルトＡ、ハンガーＢ、野縁受けＣ、野縁Ｄ、天井板Ｅから構成される吊り天井Ｆの下に設置される。支持部材１０は、側方の躯体Ｙに固定され、ケーブル２０は、対向する一対の支持部材１０に架設される。ネット３０は、締結部材４０によってケーブル２０にレーシングされることによって固定される。以下、これらについて、図２以降を参照して詳しく説明する。
【００１９】
支持部材１０は、図２に示すように、ケーブル２０を架設するために設置スペースの側方の躯体Ｙに固定される支持金具であり、第１側方Ｗ１及びそれに対向する側方Ｗ１’の躯体Ｙに固定される一対の第１支持部材１０１と、第１側方Ｗ１と交差する方向に位置する第２側方Ｗ２及びそれに対向する側方Ｗ２’の躯体Ｙに固定される一対の第２支持部材１０２とを含んでいる。第１支持部材１０１と第２支持部材１０２は、構造的には同じ構造のものであってもよいし、異なる構造のものであってもよい。本実施形態では、同じ構造の支持部材１０を採用した例を示しており、その設置場所によって、第１支持部材１０１と第２支持部材１０２と呼び分けている。
【００２０】
図３に示すように、支持部材１０は、フランジ部１１と、フランジ部１１から突出し、ケーブル２０（後述するように、主ケーブル２１及び外周ケーブル２２）の端末２０ａが取り付けられる突出部１２とを備えている。フランジ部１１は、躯体Ｙにボルト・ナットで固定される。ここで、躯体Ｙは、図示するように鉄骨構造体とすることが好ましいが、ＲＣ構造や木造の躯体に固定する場合には、安全率を大きく確保するなどの考慮を行う。
【００２１】
支持部材１０の突出部１２は、図４に示すように、ケーブル２０の端末２０ａが支持部材１０に対して一定の範囲で回動可能であるように側面視において略三角形の形状とされている。これは、図４及び図５に示すように、ケーブル２０（後述するように、主ケーブル２１及び外周ケーブル２２）の端末２０ａをフォークタイプとした（フォーク状に形成された）場合、突出部１２を挟むようにしてピン留めしておくことにより、天井落下防止構造１の設置後に吊り天井Ｆが落下してその荷重をネット３０が受けた際、ケーブル２０が撓んで衝撃を吸収できる。
【００２２】
ケーブル２０の端末２０ａをフォークタイプとする場合、支持部材１０の突出部１２を挟む一対のフォークにピン２０ｂを挿通させて固定するが、図４及び図５に示すように、ピン２０ｂの両端には割りピン２０ｃを挿入して、固定を確実なものとする。
【００２３】
なお、ケーブル２０の端末２０ａは、フォークタイプ以外にしてもよく、例えば、図６に示すようなクリップ固定によるものであってもよい。要は、所定の強度を発揮でき、かつ、支持部材１０に対して回動可能のものであれば好ましく採用することができる。ただし、クリップ固定による場合は、図６に示すように、クリップ２０ｄは、落下の防止などを考慮し、ケーブル２０の上方側（天井側）から用いるようにする。
【００２４】
ケーブル２０は、後述するネット３０を固定するためのワイヤーなどであり、２種類のケーブルに区分される。すなわち、ケーブル２０は、両端の端末が一対の第１支持部材１０１に取り付けられる主ケーブル２１と、両端の端末が一対の第２支持部材１０２に取り付けられる外周ケーブル２２とを含んでいる。主ケーブル２１は、ネット３０の大きさに応じて設置スペースを区画可能に架設されるケーブルであり、外周ケーブル２２は、主ケーブル２１と交差する方向であって主ケーブル２１の端部の上方に架設されるケーブルである。
【００２５】
図２に示したように、天井落下防止構造１の設置スペースとネット３０の大きさの関係により設置スペースを区画する必要がある場合、主ケーブル２１は、ネット３０の第１側が締結される第１主ケーブル２１１と、ネット３０の第２側が締結される第２主ケーブル２１２と、第１主ケーブル２１１と第２主ケーブル２１２との間の中程でネット３０が締結される第３主ケーブル２１３とを含むように分けることができる。この場合、ネット３０は、第３主ケーブル２１３の中央を基準点として、左右方向、左右上隅方向、左右下隅方向へ押し出されるように張られていき、第１主ケーブル２１１と第２主ケーブル２１２を少しはみ出る程度に設定される。
【００２６】
このとき、第３主ケーブル２１３は、第１主ケーブル２１１と第２主ケーブル２１２の間の中程に位置決めされるが、両者の中央に限らず、図示したように、第１主ケーブル２１１と第２主ケーブル２１２のいずれかの側に偏って架設されてもよい。すなわち、吊り天井Ｆの配置状況や天井板Ｅの大きさや重量などの条件を加味して、第３主ケーブル２１３の位置を設定すればよい。
【００２７】
主ケーブル２１に対し、外周ケーブル２２は、主ケーブル２１と交差する方向であって主ケーブル２１の両端部の上方に架設されており、第１外周ケーブル２２１と第２外周ケーブル２２２とを含む。
【００２８】
ネット３０は、主ケーブル２１及び外周ケーブル２２に締結部材４０によって締結される。ネット３０としては、例えば単位面積重量約０．２ｋｇ／ｍ２という軽量で、かつ、十分な強度をもつネットが採用される。設置（施工）の際にも扱い易くて仕上がりのきれいな角目のネットが好ましいが、目合いは、例えば２２ｍｍと細かくすれば、天井が落下した際にハンガーやクリップなどの金具類を捕捉し易くてさらに好ましい。
【００２９】
ネット３０を主ケーブル２１及び外周ケーブル２２に締結する際の詳細は天井落下防止構造１の設置（施工）方法として後述するが、概要を説明すると次のとおりである。まず、図７に示すように、ネット３０と主ケーブル２１を配置する。すなわち、ネット３０が繋ぎ目を有するときは、ネット３０の繋ぎ目のラインＬと、主ケーブル２１とが交差するように配置する。その際、ネット３０は、繋ぎ目の先端が上方側（天井側）を向くようにする。そして、図８に示すように、主ケーブル２１をネット３０の目合いに沿わせたうえで、まず、締結部材４０などを用いて仮固定４１する。目合いがずれてしまうと、主ケーブル２１がうねってしまい、ひいてはネット３０にも偏りが生じるため、必ず、主ケーブル２１をネット３０の目合いに一致させる。
【００３０】
その後、レーシングロープなどの締結部材４０によって、ネット３０をケーブル２０に締結していくが、まず主ケーブル２１に締結する。その際、図８に示すように、締結部材４０は、ネット３０と主ケーブル２１が取り合うすべての目合いを通るようにレーシングされる。また、図９に示すように、ネット３０が締結部材４０によって主ケーブル２１に添うネット３０の２本の糸３１，３１を主ケーブル２１にレーシングすることにより締結される。
【００３１】
ネット３０の主ケーブル２１への締結が終了すると、図１０に示すように、ネット３０を外周ケーブル２２に締結する。外周ケーブル２２は、前述したごとく、図１１（主ケーブル２１と外周ケーブル２２の交差部を拡大して示した右下の側面図を参照）に示すように、主ケーブル２１の端部の上方に架設されているため、ネット３０の余った部分は図１２に示すように外周ケーブル２２に巻き込んでから、締結部材４０によってレーシングする。仮固定４１やレーシングの要領は、主ケーブル２１の場合と同様である。以上により、天井落下防止構造１が整えられることとなる。
【００３２】
（実験例）
本実施形態に係る天井落下防止構造１について、その効果を確認するため、以下のような実大規模の実験を行った。
【００３３】
天井落下防止構造１の施工面積を約３９０ｍ２（１６ｍ×２４ｍ）としてネット３０を設置し、次の２点について確認を行った。ネット３０は、目合い２２ｍｍ、約０．２ｋｇ／ｍ２のものを用いた。
（１）重量１３．５ｋｇ／ｍ２、面積１．８ｍ×１５．５ｍの天井を２回脱落させ、ケーブル２０、ネット３０、支持部材１０の損傷状態及び荷重伝達を確認した。
（２）重量２７．５ｋｇ／ｍ２、面積１．８ｍ×７．６ｍの天井を天井スパン中央のネット３０のみに脱落させ、ネット３０の損傷状態及びハンガーやクリップ等の金具類の捕捉状況を確認した。
【００３４】
上記（１）及び（２）のいずれとも、ケーブル２０、ネット３０、支持部材１０に損傷が生じなかったことが確認でき、また、天井の構成部材であるハンガーやクリップ等の金具類もすべて捕捉されていることが確認できた。
【００３５】
（設置方法）
次に、本実施形態に係る天井落下防止構造１を設置（施工）する方法について、図１３を参照して説明する。設置に先立ち、対象となる建物において、天井落下防止構造１を設置するに必要十分な柱や梁などの躯体が用意されているかどうかを確認する。当該建物に必要十分な柱や梁などが用意されていない場合には、それらを新たに設置する。
【００３６】
天井落下防止構造１の設置（施工）は、以下の手順で行う。まず、施工前の確認及び清掃を行う（ステップＳ１０）。関連する設備工事や先行工事が完了していることを点検し、事前に用意されたケーブル２０の設置に係る金物（柱など）の設置場所を確認するとともに、ケーブル２０、ネット３０の設置位置の確認を行う。その際、天井落下防止構造１を施工前には、施工現場の清掃を入念に行い、ネット３０に汚れや各種金具などが付着しないように配慮する。
【００３７】
次に、ケーブル２０の設置に係る金物（柱など）の壁面にレベル墨や支持部材１０の設置位置などの墨出しを行う（ステップＳ１１）。これにより、仕上がり及びケーブル２０、ネット３０の配置を確認する。墨出し後、支持部材１０ひいてはケーブル２０の設置間隔、支持部材１０の設置高さひいてはケーブル２０、ネット３０の設置高さについて、建築図面と合致しているか照合する。また、予定されていない吊り下げ物、段差、勾配など、天井落下防止構造１を設置するにあたって障害となりうるものの有無を再確認する。
【００３８】
次に、支持部材１０（支持金具）を墨出し位置に合わせて設置する（ステップＳ１２）。支持部材１０のフランジ部１１をケーブル２０の設置に係る金物（柱など）の壁面にボルト・ナットによって固定する。固定は、規定されたトルクに従って行う。なお、支持部材１０が施工前に先行して設置されている場合には、その設置が適切に行われているかどうかを確認する。
【００３９】
次に、ネット３０の大きさに合わせて、主ケーブル２１を架設するための設置スペースの区画分けを行う（ステップＳ１３）。設置スペースには、区画分けのラインに位置する主ケーブル２１として第１主ケーブル２１１及び第２主ケーブル２１２を、その間にあって区画の中程に位置する第３主ケーブル２１３を、それぞれ先行して架設することとなる。ここで、例えば、設置スペースを３分割して第１区画、第２区画、第３区画とした場合、中間に位置する第２区画の第１主ケーブル２１１は第１区画の第１主ケーブル２１１又は第２主ケーブル２１２と、第２区画の第２主ケーブル２１２は第３区画の第１主ケーブル２１１又は第２主ケーブル２１２と、それぞれ兼用される。
【００４０】
次に、第１主ケーブル２１１、第２主ケーブル２１２、第３主ケーブル２１３の設置及び緊張を行う（ステップＳ１４）。各ケーブル２０の端末２０ａはフォークタイプとなっており、支持部材１０の突出部１２を挟んだ状態でピン２０ｂによってピン留めして固定する。固定した後、端末２０ａのフォークの基端に位置するアジャスターをトルクレンチによって所定の値まで回転させてケーブル２０を緊張させる。固定する際には、ピン２０ｂの両端に割りピン２０ｃを挿入し、確実に固定する。ケーブル２０の端末２０ａをフォークタイプではなくクリップ固定で輪状に構成してもよいが、そのときは、複数のクリップ２０ｄの全部が必ずケーブル２０の上側となるように取り付ける。落下を防止するためである。ケーブル２０は、うねりやキンクがないように施工するとともに、保管時にもうねりやキンクがないように留意する。ケーブル２０の設置にあたっては、必要に応じて、レーバーブロック等でケーブル２０を引き上げて支持部材１０に固定してもよい。
【００４１】
次に、外周ケーブル２２の設置及び緊張を行う（ステップＳ１５）。外周ケーブル２２は、主ケーブル２１と交差する方向であって主ケーブル２１の端部の上方を通るように設置される。その他の点は主ケーブル２１の設置及び緊張と同様であるので省略する。
【００４２】
次に、ネット３０の設置前準備を行う（ステップＳ１６）。ネット３０は、締結部材４０（レーシングロープ）によってケーブル２０にレーシングして固定されるが、使用されるケーブル２０の外径を勘案して予め１回のレーシングに必要な長さに締結部材４０をカットしておけば便宜である。
【００４３】
天井の大きさ、段差、勾配等の要因で設置スペースにおいてネット３０が分割される場合、複数のネット３０の設置位置と設置方向が誤らないように再確認する。その際、第３主ケーブル２１３とネット３０の対応する位置にマーキングを行う。マーキングを行うには、締結部材４０のレーシングロープなどを使った仮結びによるものが望ましい。仮結びを行う箇所は、ネット３０の繋ぎ目のラインＬが第３主ケーブル２１３と交差する位置であって第３主ケーブル２１３のほぼ中央の位置とする。このマーキング（仮結び）の箇所は、以後の作業の基準点となる。
【００４４】
次に、主ケーブル２１へのネット継ぎ目の墨出しを行う（ステップＳ１７）。ネット３０の「目」を揃えるため、主ケーブル２１に、ネット３０の繋ぎ目のラインＬごとに墨出しを行う。この墨出しは、基準点を設けた第３主ケーブル２１３に加えて、第１主ケーブル２１１及び第２主ケーブル２１２にも行う。また、分割された区画のすべてに行う。
【００４５】
最後に、以上の各ステップでの作業を踏まえ、ネット３０を主ケーブル２１及び外周ケーブル２２への設置を行う（ステップＳ１８）。ネット３０は、繋ぎ目の先端が上方（天井側）に向くように、かつ、繋ぎ目のラインＬが主ケーブル２１と交差するように配置される。そして、ネット３０は、締結部材４０によってケーブル２０にレーシングされて固定される。以下に、本ステップを細分化して説明する。
【００４６】
第１に、ネット３０の張り始めは、区画ごとに設けた第３主ケーブル２１３上の基準点を中心として、六方（左右側方、左右上隅、左右下隅）に向けて追い出していく。このとき、ネット３０と第３主ケーブル２１３上の基準点を確実に合わせるようにする。そして、ネット３０と主ケーブル２１とを締結部材４０のレーシングロープなどを使って仮固定４１していく。その際、ネット３０の目合いを確実に揃えるようにする。目合いがずれると、ネット３０が波打ちになりきれいに仕上がらないのみならず、主ケーブル２１が湾曲する可能性があり、所望の効果を毀損するおそれがある。
【００４７】
第２に、ネット３０を主ケーブル２１に締結部材４０によってレーシングして固定する。締結部材４０は、ネット３０の繋ぎ目のラインＬと交差する箇所で目立たないように結ぶ。先に行った仮固定４１は、レーシングが完了次第解放して取り除く。レーシングは、主ケーブル２１に対応する２本の糸３１，３１を主ケーブル２１にレーシングすることにより行うとともに、締結部材４０がネット３０と主ケーブル２１が取り合うすべての目合いを通るように行う。
【００４８】
第３に、ネット３０を外周ケーブル２２に締結部材４０のレーシングロープなどを使って仮固定４１していく。その際、主ケーブル２１のときと同じように、ネット３０の目合いを確実に揃えるようにする。また、最端部で余ったネット３０は、外周ケーブル２２にきちんと巻き込んでおく。そして、主ケーブル２１とのレーシングによる固定が終了した後に、ネット３０を外周ケーブル２２にレーシングによる固定を行い、仮固定４１を解放して取り除く。以上の各ステップを経て本実施形態に係る天井落下防止構造１は設置される。
【００４９】
（実施形態の効果）
本実施形態に係る天井落下防止構造１は、設置場所を選ばないが、特に、多くの人が集まり、又は往来する建物、例えば、学校体育館、屋内プール、屋内温泉施設、多目的ホール、病院、工場・倉庫、駅舎、大型商業施設、アミューズメント施設などの建物に利用することができ、地震時に万が一天井が落下したときに、一時的に天井の構成部材を受け止め、無防備な多くの人に対して避難できる時間的かつ精神的余裕を確保し、人的被害を最小限に食い止めるのに好適である。
【００５０】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００５１】
１…天井落下防止構造
１０…支持部材（支持金具）
１１…フランジ部
１２…突出部
１０１…第１支持部材
１０２…第２支持部材
２０…ケーブル
２０ａ…端末
２０ｂ…ピン
２０ｃ…割りピン
２０ｄ…クリップ
２１…主ケーブル
２１１…第１主ケーブル
２１２…第２主ケーブル
２１３…第３主ケーブル
２２…外周ケーブル
２２１…第１外周ケーブル
２２２…第２外周ケーブル
３０…ネット
４０…締結部材（レーシングロープ）
４１…仮固定
Ｌ…ネットの繋ぎ目のライン
【図１】
0006721264.tif 000002
【図２】
0006721264.tif 000003
【図３】
0006721264.tif 000004
【図４】
0006721264.tif 000005
【図５】
0006721264.tif 000006
【図６】
0006721264.tif 000007
【図７】
0006721264.tif 000008
【図８】
0006721264.tif 000009
【図９】
0006721264.tif 000010
【図１０】
0006721264.tif 000011
【図１１】
0006721264.tif 000012
【図１２】
0006721264.tif 000013
【図１３】
0006721264.tif 000014